(57)【特許請求の範囲】
【請求項１】
漢字の八の字のように末広がりに配設された一対の縦杆を、複数の水平なステップバーにより連結して全体の形状が細長い台形の支脚を構成し、このように構成された第１、第２及び第３支脚の３個の支脚の内、第１及び第２支脚の幅が狭い方の上端部を第１ヒンジ手段により、第２支脚及び第３支脚の幅が広い方の基端部を第２ヒンジ手段によりそれぞれ回動かつ折り畳み可能に連結し、以て、第１乃至第３支脚を直線状に展開したとき梯子として用いることができるようにし、一方、第１支脚の基端を地面又は床面に置き、第３支脚の上端を立ち木や電柱、又は壁面に立て掛けて梯子として用いるとき、ヒンジ手段による梯子の接続部の外側に谷折れが生じないようにストッパーを設け、他方、第３支脚の上端にステップバーと平行な係合杆を設け、この係合杆に内側に開く浅いＶ字形の切欠を形成し、この切欠を電柱等に立て掛けたとき梯子の上端の幅方向の動きを拘束するようにし、また、第２及び第３支脚を重ねたものと第１支脚を広げることにより脚立として用いる場合、上記係合杆を第１ヒンジ手段による接続部の隙間に収納できるようにその幅を設定したことを特徴とする梯子を兼ねる脚立。
【発明の詳細な説明】
【技術分野】
【０００１】
この発明は梯子を兼ねる脚立（以下単に脚立という）に係り、特に、梯子としての使用時安定性が大であり、しかも折り畳むとコンパクトになる脚立に関する。
【背景技術】
【０００２】
梯子及び脚立の構造や使用目的はずっと以前から周知であるから、ここでは更に詳細な説明は省略する。
【先行技術文献】
【特許文献】
【０００３】
【特許文献１】特開２００２−１９４９８１
【特許文献２】特開平１０−０２５９８２
【発明の概要】
【発明が解決しようとする課題】
【０００４】
世間の常識として梯子は長いものであり、脚立は低いものであるから、梯子を兼ねる脚立というものは一般的ではない。
【０００５】
一方、下記特許文献１及び２には梯子を兼ねる脚立が提案されているが、いずれも構造が複雑でしかも大型であり、したがって持ち運びに不便である。
【０００６】
他方、ある種の職業や業務においては、梯子を兼ねる脚立があると便利である場合が多い。
【０００７】
そこで、この発明は、梯子としての使用時安定性が大であり、しかも折り畳むとコンパクトになる脚立を提供することを目的としている。
【課題を解決するための手段】
【０００８】
上記の目的を達成するため、請求項１に記載の発明は、漢字の八の字のように末広がりに配設された一対の縦杆を、複数の水平なステップバーにより連結して全体の形状が細長い台形の支脚を構成し、このように構成された第１、第２及び第３支脚の３個の支脚の内、第１及び第２支脚の幅が狭い方の上端部を第１ヒンジ手段により、第２支脚及び第３支脚の幅が広い方の基端部を第２ヒンジ手段によりそれぞれ回動可能に連結し、以て、第１乃至第３支脚を直線状に展開したとき梯子として用いることができるようにし、一方、第１支脚の基端を地面又は床面に置き、第３支脚の上端を立ち木や電柱、又は壁面に立て掛けて梯子として用いるとき、ヒンジ手段による梯子の接続部の外側に谷折れが生じないようにストッパーを設け、他方、第３支脚の上端にステップバーと平行な係合杆を設け、この係合杆に内側に開く浅いＶ字形の切欠を形成し、この切欠を電柱等に立て掛けたとき梯子の上端の幅方向の動きを拘束するようにし、また、第２及び第３支脚を重ねたものと第１支脚を広げることにより脚立として用いる場合、上記係合杆が第１ヒンジ手段による接続部の隙間に収納できるようにその幅を設定したことを特徴とする。
【発明の効果】
【０００９】
上記のように構成されたこの発明によるラッチ装置は、３個の支脚を２個のヒンジ手段により直線状に接続し、伸ばしたときに梯子として、折り畳んだとき脚立としてそれぞれ機能するようにしたので、構造が簡単な梯子を兼ねる脚立を構成することができた。
【００１０】
また、第３支脚の上端の係合杆が第１ヒンジ手段による接続部の隙間に収納できるようにしたので、折り畳んだときコンパクトになり持ち運びが簡単になる、等種々の効果を奏する。
【図面の簡単な説明】
【００１１】
【図１】本発明による脚立の梯子としての正面図。
【図２】その側面図。
【図３】ステップバーと縦杆の結合部を示す拡大平面図。
【図４】図３のＩＶ−ＩＶ線による断面図。
【図５】係合杆の外観斜視図。
【図６】梯子を折り畳んで脚立にする過程を説明する側面図。
【図７】脚立の側面図。
【図８】脚立を更に平たくした状態を示す図７と同様の側面図。
【発明を実施するための形態】
【００１２】
３個の支脚を２個のヒンジ手段により直線状に接続し、伸ばしたときに梯子として、折り畳んだとき脚立としてそれぞれ機能するようにしたので、構造が簡単な梯子を兼ねる脚立を構成できた。
【実施例１】
【００１３】
以下、本発明の一実施例を図面を参照して説明する。
図１及び図２において符号１は第１支脚を、符号２は第２支脚を、符号３は第３支脚を夫々示す。
【００１４】
各支脚は、図１に示すように、漢字の八の字（第２支脚は逆八の字）のように末広がりに配設された一対の縦杆４、４を、複数（図示の実施例では３本）の水平なステップバー５、５により連結して、全体の形状が細長い台形に形成されている。
【００１５】
なお、縦杆４、４をステップバー５、５により連結するには、例えば図３及び図４に示すように、横断面が内側に開いたコ字形の縦杆４の間に、断面が台形のステップバー５を挟み、リベット止めする。
【００１６】
また、図１及び図２において符号１３は縦杆４の端部に嵌着されたゴム製、或いはプラスチック製のキャップを示す。
【００１７】
これら第１乃至第３支脚１〜３の３個の支脚の内、第１及び第２支脚の幅が狭い方の上端部は第１ヒンジ手段６（図１参照）により、また、第２支脚２及び第３支脚３の幅が広い方の基端部は第２ヒンジ手段７によりそれぞれ回動可能に連結されている。
【００１８】
このとき注意しなければならないのは、図１から明らかなように、第１ヒンジ手段６を構成する一対のヒンジ板の取付部８と連結部９とを同一平面とすると、第１及び第２支脚１、２の回動時連結部９、９が抉れてしまうことである。
【００１９】
そのため、各ヒンジ板の取付部８と連結部９とを少し捩り、相互に接合する連結部９、９が付番しない水平な回動軸に垂直になるように成形されている。
これは、第２ヒンジ手段７においても同様である。
【００２０】
この事情は従来の脚立におけると同様であるから、更に詳細な説明は省略する。
【００２１】
なお、第２ヒンジ手段における第３支脚３の縦杆の下端は、半円形に成形され、支軸１０に回動可能に支承されている。
【００２２】
図１及び図２に示すように、第１乃至第３支脚１〜３は直列に連接されているから、第１支脚１の基端を地面又は床面に置き、第３支脚３の上端を立ち木や電柱１１に立て掛けて梯子として用いることができる。
【００２３】
このとき、支脚がヒンジ部分で開いてしまわないように、すなわち、ヒンジ手段による梯子の接続部の外側に谷折れが生じないようにストッパーが設けられている。
【００２４】
このストッパーは、第１ヒンジ手段においてはヒンジ板に形成された係止端縁１２が相互に接合することにより構成されている。
【００２５】
また、第２ヒンジ手段７においては、第３支軸３の縦杆４が前記キャップ１３に押圧されることにより構成されている。
【００２６】
一方、図１及び図２に示すように、第３支軸３の上端にはステップバー５と平行な係合杆１４が装着されている。
【００２７】
図示の実施例における係合杆１４は、例えば、断面Ｌ字形のアルミ板の水平部に内側に開いた浅いＶ字形の切欠１５を形成したもので、第３支脚の縦杆４の上端にリベット止めされている。
【００２８】
この係合杆４は、図８に示すように、脚立を折り畳んだとき第１ヒンジ手段６による接続部の隙間に収納できるようにその幅が設定されている。
【００２９】
上記のように構成された脚立は、梯子から脚立に転換するときには、図６に示すように、先ず第３支脚３を第２支脚側に倒し、次いで第１支脚１を第２支脚側に倒し、図７のように脚立に変換する。
【００３０】
なお、図７において第３支脚３が第２支脚２から離れないようにするため、第２ヒンジ手段の回動を渋くするとか、あるいは第２及び第３支脚の相互に接合する部分に異磁極で対峙する永久磁石を埋設するのが望ましい。
【００３１】
なお、図７において符号１６は二つ折の開き止めバーを示し、その自由端の鉤部を第１支脚に埴設された止めピン１７に掛けて脚立の開脚度を規制する。
【００３２】
図７に示す状態から第１及び第２支脚１、２を更に閉じると、図８に示すように、脚立は更に平たくなり、例えば自動車による運搬が容易になる。
【００３３】
このときには、図８に示すように、係合杆１４が第１ヒンジ手段による接続部の隙間に完全に収納されることは前記した通りである。
【符号の説明】
【００３４】
１  第１支脚
２  第２支脚
３  第３支脚
４  縦杆
５  ステップバー
６  第１ヒンジ手段
７  第２ヒンジ手段
８  取付部
９  連結部
１０  支軸
１１  電柱
１２  係止端縁
１３  キャップ
１４  係合杆
１５  切欠
１６  開き止めバー
１７  止めピン
【図１】
0005482638.tif 000002
【図２】
0005482638.tif 000003
【図３】
0005482638.tif 000004
【図４】
0005482638.tif 000005
【図５】
0005482638.tif 000006
【図６】
0005482638.tif 000007
【図７】
0005482638.tif 000008
【図８】
0005482638.tif 000009